(57)【要約】      （修正有）【課題】ヘッドカバーをクラブヘッドより取り外した時に、置き忘れたり、紛失しないように競技者が保持できる係止手段を設けたゴルフクラブ用ヘッドカバーを提供する。【解決手段】ゴルフクラブの少なくともヘッド部分を被覆できる袋状のカバー体２に構成され、カバー体は競技者に係止できる係止手段を具備する。係止手段は、カバー体が係着部４を備え、競技者が該係着部の被係着部１１を備える。係着部と被係着部は次の構成を挙げることができる。（１）一方が雄の面ファスナーであり、他方が雌の面ファスナー、（２）一方が磁石であり、他方が磁石への吸着部材、（３）一方が雄のフックボタンであり、他方が雌のフックボタン。【選択図】図２
0003101703.tif 000002
【実用新案登録請求の範囲】
【請求項１】
ゴルフクラブの少なくともヘッド部分に被覆できる袋状のカバー体に構成され、カバー体は競技者に係止できる係止手段を具備することを特徴とするゴルフクラブ用ヘッドカバー。
【請求項２】
ゴルフクラブの少なくともヘッド部分に被覆できる袋状のカバー体に構成され、該カバー体は係着部を備え、競技者はこの係着部が係着できる被係着部を備えることを特徴とする請求項１記載のゴルフクラブ用ヘッドカバー。
【請求項３】
前記係着部と被係着部は、一方が雄の面ファスナーであり、他方が雌の面ファスナーであることを特徴とする請求項２記載のゴルフクラブ用ヘッドカバー。
【請求項４】
前記被係着部は、面ファスナーが設けられたクリップであることを特徴とする請求項３記載のゴルフクラブ用ヘッドカバー。
【請求項５】
前記係着部と被係着部は、一方が磁石であり、他方が磁石への吸着部材であることを特徴とする請求項２記載のゴルフクラブ用ヘッドカバー。
【請求項６】
前記被係着部は、磁石または磁石への吸着部材が設けられたクリップであることを特徴とする請求項５記載のゴルフクラブ用ヘッドカバー。
【請求項７】
前記係着部と被係着部は、一方が雄のフックボタンであり、他方が雌のフックボタンであることを特徴とする請求項２記載のゴルフクラブ用ヘッドカバー。
【請求項８】
前記係着部はフックである請求項２記載のゴルフクラブ用ヘッドカバー。
【考案の詳細な説明】
【技術分野】
【０００１】
この考案は、ゴルフクラブのヘッドを保護するために用いるゴルフクラブ用ヘッドカバーに関し、特に、クラブ使用に際しヘッドカバーを取り外した時に置き忘れたり、紛失することがないようにしたゴルフクラブ用ヘッドカバーに関する。
【背景技術】
【０００２】
ゴルフクラブ（特に、ウッドクラブやパター）のヘッド部は、ヘッドカバーを被せ付けることで保護するようにしている。このヘッドカバーは、皮革、合成皮革、布および毛糸等でクラブヘッドの形状に合せた袋状のカバーに形成されており、各ヘッドカバーには各クラブの識別ができるように各クラブに表示された数字と一致する数字が表示されている。
従来のヘッドカバーは、ヘッド部を保護する袋状のカバーから構成されているものが一般であるが、ゴルフ用のティーを収納する若しくは保持する手段を備えたもの（例えば、特許文献１および２参照）、ゴルフボールの収納部を備えたもの（例えば、特許文献３および４参照）、懐炉の収納部を備えたもの（例えば、特許文献４参照）、手袋と兼用できるもの（例えば、特許文献１、４および５参照）およびティー保持部、グローブ保持部、フォーク保持部、ポケット、ゴルフボール保持部、等を備えたもの（例えば、特許文献６参照）が提案されている。また、ゴルフバックに係合させるフックを備えたヘッドカバー（例えば、特許文献６参照）も提案されている。
【特許文献１】実開平２−１０４０７６号公報
【特許文献２】実開平５−５３６７５号公報
【特許文献３】実開昭６１−１３０２５９号公報
【特許文献４】実開昭６２−１８０４７４号公報
【特許文献５】実開昭６２−１８０４７３号公報
【特許文献６】特許第３０４７４６３号公報
【考案の開示】
【考案が解決しようとする課題】
【０００３】
ゴルフクラブ用ヘッドカバー（以下、ヘッドカバーと称す）は、クラブの使用時にはヘッド部より取り外すために、その保管場所が必要となる。ゴルフバックやカートが側にあるときは、ゴルフバックやカートに保管できるし、キャディが側に居るときは預けることもできるが、ゴルフクラブはティーグランドやグリーン上までヘッドカバーを装着したまま持って行くことが多く、この場合には取り外したヘッドカバーは、芝（地面）の上に置いてプレーすることが多い。従って、置き忘れたり、紛失する事態が発生する。特に、パターのヘッドカバーはグリーン上に置き忘れることが多い。また、芝（地面）の上に置くと誤って踏んで傷つけたり、汚したりする課題もある。
前記特許文献６には、ゴルフバックに係合させるフックを備えたヘッドカバーが提案されており、このフックを使用してヘッドカバーをゴルフバックに係合させておき、これによりヘッドカバーの紛失を防止できることが開示されている。しかし、このヘッドカバーでは、ヘッドカバーを装着したままクラブをティーグランドやグリーン上まで持参した時には対応できない。
【０００４】
この考案は、このような課題を解決せんと提案されてものであり、その目的は、ヘッドカバーをクラブヘッドより取り外した時に、置き忘れたり、紛失しないように競技者への係止手段を設けたゴルフクラブ用ヘッドカバーの提供にある。
【課題を解決するための手段】
【０００５】
この考案のゴルフクラブ用ヘッドカバーは、ゴルフクラブの少なくともヘッド部分に被覆できる袋状のカバー体に構成され、カバー体は競技者に係止できる係止手段を具備することを特徴とする。
これによりヘッドカバーは、クラブより取り外した時に、係止手段で競技者に係止して保持することができる。
【０００６】
また、この考案のゴルフクラブ用ヘッドカバーは、ゴルフクラブの少なくともヘッド部分に被覆できる袋状のカバー体に構成され、該カバー体は係着部を備え、競技者はこの係着部が係着できる被係着部を備えることを特徴とする。
これによりヘッドカバーは、クラブより取り外した時、係着部を被係着部に係着することによって競技者が保持することができる。
ここで、ゴルフクラブの「少なくとも」ヘッド部に被覆できる袋状のカバー体に構成する、としたのは、ヘッドカバーはゴルフクラブのヘッド部分を被覆するだけでなく、シャフト部分も保護するタイプも存在するからである。
【０００７】
また、この考案のゴルフクラブ用ヘッドカバーの係着部と被係着部は、一方が雄の面ファスナーであり、他方が雌の面ファスナーであることを特徴とする。
これにより面ファスナーなので、ヘッドカバーを容易に被係着部に係着して保持することができる。
また、この考案のゴルフクラブ用ヘッドかバーの前記被係着部は、面ファスナーが設けられたクリップであることを特徴とする。
これにより、クリップをズボンのポケット等に差し込むことによって装着できるので、このクリップの面ファスナーにヘッドカバーを係着して保持することができる。
【０００８】
また、この考案のゴルフクラブ用ヘッドカバーの係着部と被係着部は、一方が磁石であり、他方が磁石への吸着部材であることを特徴とする。
これにより磁石なので、容易に被係着部に吸着させて保持することができる。
また、この考案のゴルフクラブ用ヘッドカバーの前記被係着部は、磁石または磁石への吸着部材が設けられたクリップであることを特徴とする。
これによりクリップをズボンのポケット等に差し込むことによって装着できるので、このクリップの磁石また磁石の吸着部材にヘッドカバーを吸着して保持することができる。
【０００９】
また、この考案のゴルフクラブ用ヘッドカバーの係着部と被係着部は、一方が雄のフックボタンであり、他方が雌のフックボタンであることを特徴とする。
これによりフックボタンなのでヘッドカバーを容易に被係着部に係着して保持することができる。
さらに、この考案のゴルフクラブ用ヘッドカバーの係着部はフックであることを特徴とする。
これによりヘッドカバーはフックをベルトまたはポケットに引っ掛けて保持することができる。
【００１０】
ここでのヘッドカバーの面ファスナーやフックボタンは、新たに設けてもよいし、例えば、パターのヘッドカバーのようにヘッドカバーの開口を閉止するために面ファスナーやフックボタンが設けられている場合には、この面ファスナーやフックボタンを併用してもよい。
【考案の効果】
【００１１】
この考案のゴルフクラブ用ヘッドカバーによれば、次のような効果を奏する。
（１）ヘッドカバーは、競技者に係止できる係止手段を具備するので、競技者はヘッドカバーをクラブより取り外した時、係止手段で係止して保持することができる。
（２）ヘッドカバーは係着部を備え、競技者はこの係着部が係着できる被係着部を備えるので、競技者はヘッドカバーをクラブより取り外した時、係着部を被係着部に係着して保持することができる。
【００１２】
（３）係着部と被係着部が面ファスナーであったり、磁石であったり、フックボタンであるので、取り外したヘッドカバーは、容易に係着して保持することができる。また、係着部がフックであると、競技者はベルトやポケットに引っ掛けて保持することができる。さらに、競技者から取り外して再びクラブヘッドに被覆することも容易となる。
（４）面ファスナーやフックボタンであると、ヘッドカバーの開口を閉止するために設けられた面ファスナーやフックボタンを兼用することが可能となる。
（５）被係着部が、面ファスナーまたは磁石を設けたクリップであると、競技者のポケットやベルトに差し込んで取付けることができるから、ヘッドカバーはこれに係着・吸着して保持することができる。また、不使用時は、容易に取り外すことができる。
（６）取り外したヘッドカバーは、競技者が係止して保持することができるので、置き忘れたり、紛失することを防止できる。また、クラブの使用中にグリーン上や地面に置くことがないので、誤って踏んで傷付けたり、汚すこともない。
【考案を実施するための最良の形態】
【００１３】
以下、この考案を図面に示す実施の形態について詳細に説明する。図１はこの考案の第１の実施の形態を示す斜視図、図２はこの考案の第１の実施の形態の使用状態を示す斜視図である。この実施の形態では、ヘッドカバーとしてパター用のヘッドカバー１の場合で示す。
【００１４】
このヘッドカバー１は、パター２０のヘッド部分２１に被覆できる袋状のカバー体２に構成され、このカバー体２の開口部２ａには、開口を閉塞する蓋片３が設けられている。この蓋片３の内面とカバー体２の外面には面ファスナー４、４が設けられ、カバー体２部分でパター２０のヘッド部分２１を被覆した際、蓋片３を閉じて互いの面ファスナー４、４に止めて閉止できるようになっている。この面ファスナー４、４は一方が雄であり、他方が雌であり、互いの面ファスナー４、４は、蓋片３を閉じた時に互に対応する位置に設けられている。ヘッドカバー１の材質は、特に制限されるものではなく、皮革、合成皮革、布および毛糸等を例示することができる。
【００１５】
一方、競技者が備える被係着部１１は、競技者のベルト２２に装着できる環状体１２に面ファスナー１４が設けられている。この面ファスナー１４は、ヘッドカバー１に設けられた面ファスナー４に対応するもので、互に係合できるものである。例えば、ヘッドカバー１の蓋片３の面ファスナー４が雄であれば、被係着部１１の面ファスナー１４は雌となる。従って、この被係着部１１は、環状体１２を競技者のベルト２２に挿入することによって挿着することができるから、パター２０のヘッド部分２１から取り外したヘッドカバー１は、図２に示すようにヘッドカバー１の面ファスナー４を被係着部１１の面ファスナー１４に係着することによって保持することが可能となる。
【００１６】
この被係着部１１は、環状体１２の一部に面ファスナー１４が設けられた場合であるが、これは図６に示すように環状体１２の全外周面に面ファスナー１４を設けてもよい。また、面ファスナーで環状体としてもよい。この場合は環状体１２が不要となる。
【００１７】
図３はこの考案の第２の実施の形態を示す斜視図、図４はこの考案の第２の実施の形態の使用状態を示す斜視図である。この第２の実施の形態は、ヘッドカバー１に被係着部１１の面ファスナー１４に係着する新たな面ファスナー４ａを設け、この面ファスナー４ａで被係着部１１の面ファスナー１４に係着するようにしたものであり、他は前記第１の実施の形態と同様であるので、同一構成要素には同一符号を付して他の詳細な説明は省略する。この第２の実施の形態によれば、ヘッドカバー１が第１の実施の形態のような面ファスナー４を備えていない場合に好適となる。本例においても、競技者はベルト２２に挿着した被係着部１１の面ファスナー１４に、ヘッドカバー１を面ファスナー４ａによって係着し保持することができる。図５は競技者がヘッドカバー１を被係着部１１に係着して保持している状態を示している。
【００１８】
図７はこの考案の第３の実施の形態を示す斜視図、図８はこの考案の第３の実施の形態の使用状態を示す斜視図であり、第１の実施の形態と同一構成要素には同一符号を付してある。この第３の実施の形態は、ヘッドカバー１の蓋片３を閉止する手段が面ファスナー４に代わるフックボタン６であり、被係着部１１もこれに対応したフックボタン１６とした場合である。
即ち、ヘッドカバー１は、パター２０のヘッド部分２１に被覆できる袋状のカバー体２に構成され、このカバー体２の開口部２ａには、開口を閉塞する蓋片３が設けられ、この蓋片３の内面とカバー体２の外面にはフックボタン６、６が設けられ、パター２０のヘッド部分２１をカバー体２に入れた後、蓋片３で開口を閉じて互いのフックボタン６、６で止めて閉止できるようになっている。このフックボタン６、６は一方が雄であり、他方が雌であり、互いのフックボタン６、６は、蓋片３を閉じた時に互に対応する位置に設けられており、蓋片３を閉じると互いのフックボタン６、６が合致して止められる。
【００１９】
一方、競技者が備える被係着部１１は、競技者のベルト２２に挿着できる環状体１２に、フックボタン１６が設けられている。このフックボタン１６は、ヘッドカバー１に設けられたフックボタン６に対応するもので、互に係止できるものである。例えば、ヘッドカバー１の蓋片３のフックボタン６が雄であれば、被係着部１１のフックボタン１６は雌となる。従って、この被係着部１１は、図８に示すように環状体１２を競技者のベルト２２に挿入することによって挿着することができるから、パター２０のヘッド部分２１から取り外したヘッドカバー１は、ヘッドカバー１のフックボタン６を被係着部１１のフックボタン１６に係止することによって保持することが可能となる（図８参照）。
【００２０】
図９はこの考案の第４の実施の形態を示す斜視図である。この第４の実施の形態は、面ファスナー１４が設けられた被係着部１１が取付片１３を備え、競技者のベルト２２にはこの取付片１３を巻き通して取付けるようにしたものである。この取付片１３にはフックボタン１５が設けられ、互に係止させることによって巻き通した取付片１３が抜け出ないようになっている。このフックボタン１５に代えて面ファスナーでもよい。この第４の実施の形態では、ベルト２２を取り外すことなく、ベルト２２を装着した状態で被係着部１１をベルト２２に取付けることができる利点がある。
従って、この被係着部１１は、取付片１３をベルト２２に巻き通すことによって取付けることができるから、ヘッドカバー１は、ヘッドカバー１の面ファスナー４を被係着部１１の面ファスナー１４に係着することによって保持することが可能である。なお、面ファスナー４、１４に代えて、前記第３の実施の形態のようにフックボタンとしてもよい。即ち、ヘッドカバー１の面ファスナー４をフックボタンに、また、被係着部１１の面ファスナー１４に代えてフックボタンにしてもよい。
【００２１】
図９ではウッドクラブのヘッドカバー１ａおよび手袋１７の使用例も示している。ヘッドカバー１ａはウッドクラブのヘッド部分に被覆できる袋状のカバー体２ａに形成され、開口部５ａに向けて径小とされ、この径小部には拡径するためファスナー３ａが設けられている。このヘッドカバー１ａには、面ファスナー４ｂが設けられ、被係着部１１の面ファスナー１４に係着できるようになっている。これによりヘッドカバー１ａを被係着部１１に係着して保持することができる。この面ファスナー４ｂ、１４も前記第３の実施の形態のようにフックボタンとしてもよい。
手袋１７は、手を挿入する開口を手首の部分で締め付ける締付片に、面ファスナー４ｃを有するから、この面ファスナー４ｃを使用して手袋１７も被係着部１１に係着して保持してもよい。
【００２２】
図１０はこの考案の第５の実施の形態を示す斜視図、図１１はこの考案の第５の実施の形態の使用状態を示す斜視図である。この第５の実施の形態は、ウッドクラブ２０ａのヘッド部分２１ａのヘッドカバー１ａの場合で示している。
このヘッドカバー１ａはウッドクラブ２０ａのヘッド部分２１ａに被覆できる袋状のカバー体２ａに形成され、開口部５ａに向けて径小となるテーパ部に形成され、このテーパ部には開口部５ａおよびテーパ部を拡径して、ヘッドカバー１ａをヘッド部分２１ａに被せ易くするためファスナー３ａが設けられている。そして、このヘッドカバー１ａには、フック７が設けられており、競技者のベルト２２やポケット（図示せず）に引っ掛けて係止できるようになっている。図１０ではフック７をベルト２２に引っ掛けて係止した状態を示している。このようにこの第５の実施の形態では、競技者はヘッドカバー１ａをフック７によりベルト２２やポケット等に引っ掛けて係止し保持することが可能となる。
【００２３】
図１２はこの考案の第６の実施の形態を示す斜視図、図１３はこの考案の第６の実施の形態の使用状態を示す斜視図である。この第６の実施の形態は、ウッドクラブのヘッド部分のヘッドカバー１ａの場合で示している。
このヘッドカバー１ａはウッドクラブのヘッド部分に被覆できる袋状のカバー体２ａに形成され、開口部５ａに向けて径小となるテーパ部に形成され、このテーパ部には開口部５ａ及びテーパ部を拡径して、ヘッドカバー１ａをヘッド部分に被せ易くするためファスナー３ａが設けられ、かつ、このヘッドカバー１ａには面ファスナー４ｂが設けられている。
一方、競技者が備える被係着部１１は、図１３に示すようにポケットやベルトに差し込むことができるクリップ１５に面ファスナー１４が設けられている。この面ファスナー１４は、ヘッドカバー１ａに設けられた面ファスナー４ｂに対応するもので、互に係着できるものである。
従って、このクリップ１５はポケットやベルトに差し込んで取付けることができるから、ヘッドカバー１ａは、図１３に示すように面ファスナー４ｂをクリップ１５の面ファスナー１４に係着することによって保持することが可能となる。
【００２４】
図１４はこの考案の第７の実施の形態を示す斜視図、図１５はこの考案の第７の実施の形態の使用状態を示す斜視図である。この第７の実施の形態は、第６の実施の形態のヘッドカバー１ａの面ファスナー４ｂに代えて磁石または磁石への吸着部材１９とし、かつ、クリップ１５の面ファスナー１４に代えて磁石または磁石への吸着部材１８としたものであり、他は第６の実施の形態と同様であるので、同一符号を付して他の詳細な説明は省略する。この磁石と磁石への吸着部材は、ヘッドカバー１ａとクリップ１５のうち、一方が磁石であり、他方が吸着部材となる。例えば、クリップ１５が磁石１８であれば、ヘッドカバー１ａは磁石１８への吸着部材１９となる。
従って、このクリップ１５はポケットやベルトに差し込んで取付けることができるから、ヘッドカバー１ａは、図１５に示すように磁石に吸着部材を吸着させることによって保持することが可能となる。
【００２５】
前記第５、第６および第７の実施の形態では、ウッドクラブのヘッドカバーで説明したが、これはパターのヘッドカバーやアイアンのヘッドカバーに適用してもよいことは当然である。
なお、前記実施の形態は、この考案を制限するものではない。この考案は、要旨を逸脱しない範囲内において種々の変更が許容される。
【産業上の利用可能性】
【００２６】
この考案は、ゴルフクラブのヘッドカバーに適用して最適であるが、ゴルフ用の手袋にも使用可能である。
【図面の簡単な説明】
【００２７】
【図１】この考案の第１の実施の形態を示す斜視図である。
【図２】この考案の第１の実施の形態の使用状態を示す斜視図である。
【図３】この考案の第２の実施の形態を示す斜視図である。
【図４】この考案の第２の実施の形態の使用状態を示す斜視図である。
【図５】この考案の第２の実施の形態の競技者が保持している状態を示す斜視図でる。
【図６】被係着部の他例を示す斜視図である。
【図７】この考案の第３の実施の形態を示す斜視図である。
【図８】この考案の第３の実施の形態の使用状態を示す斜視図である。
【図９】この考案の第４の実施の形態を示す斜視図である。
【図１０】この考案の第５の実施の形態を示す斜視図である。
【図１１】この考案の第５の実施の形態の使用状態を示す斜視図である。
【図１２】この考案の第６の実施の形態を示す斜視図である。
【図１３】この考案の第６の実施の形態の使用状態を示す斜視図である。
【図１４】この考案の第７の実施の形態を示す斜視図である。
【図１５】この考案の第７の実施の形態の使用状態を示す斜視図である。
【符号の説明】
【００２８】
１、１ａ  ヘッドカバー
２、２ａ  カバー体
３  蓋片
４、４ａ、４ｂ  面ファスナー
６  フックボタン
７  フック
１１  被係着部
１２  環状体
１３  取付片
１４  面ファスナー
１５  クリップ
１６  フックボタン
１８  磁石または磁石への吸着部材
１９  磁石への吸着部材または磁石
【図１】
0003101703.tif 000003
【図２】
0003101703.tif 000004
【図３】
0003101703.tif 000005
【図４】
0003101703.tif 000006
【図５】
0003101703.tif 000007
【図６】
0003101703.tif 000008
【図７】
0003101703.tif 000009
【図８】
0003101703.tif 000010
【図９】
0003101703.tif 000011
【図１０】
0003101703.tif 000012
【図１１】
0003101703.tif 000013
【図１２】
0003101703.tif 000014
【図１３】
0003101703.tif 000015
【図１４】
0003101703.tif 000016
【図１５】
0003101703.tif 000017